(57)【要約】【課題】光学フィルムに傷がつかず、皺やうねりが発生しない電気光学装置および電子機器を得ること。【解決手段】表示パネル１と、該表示パネル１の背面に固定され、該表示パネル１を照明する照明装置２と、前記表示パネル１と前記照明装置２との間に配置される光学フィルム３と、を備え、前記光学フィルム３は、接着用タブ３ａを有し、前記表示パネル１の周縁部に、当該接着用タブ３ａが接着されることによって固定されることを特徴とする。【選択図】        図２−２
2005099461.tif 000002
【特許請求の範囲】
【請求項１】
表示パネルと、
該表示パネルの背面に固定され、該表示パネルを照明する照明装置と、
前記表示パネルと前記照明装置との間に配置される光学フィルムと、を備え、
前記光学フィルムは接着用タブを有し、前記表示パネルの周縁部に、当該接着用タブが接着されることによって固定されることを特徴とする電気光学装置。
【請求項２】
表示パネルと、
該表示パネルの背面に固定され、該表示パネルを照明する照明装置と、
前記表示パネルと前記照明装置との間に配置される光学フィルムと、を備え、
前記光学フィルムは接着用タブを有し、前記照明装置の周縁部に、当該接着用タブが接着されることによって固定されることを特徴とする電気光学装置。
【請求項３】
前記光学フィルムを複数枚備え、各光学フィルムを重ねたときに、該各光学フィルムの接着用タブが互いに重ならない位置に形成されていることを特徴とする請求項１または請求項２に記載の電気光学装置。
【請求項４】
前記光学フィルムを複数枚備え、各光学フィルムを重ねたときに、該各光学フィルムの接着用タブが互いに同じ位置に形成されていることを特徴とする請求項１または請求項２に記載の電気光学装置。
【請求項５】
前記複数の光学フィルムに形成される接着用タブが、同一の形状を有することを特徴とする請求項４に記載の電気光学装置。
【請求項６】
前記複数の光学フィルムに形成される接着用タブ同士を接着して固定することを特徴とする請求項４に記載の電気光学装置。
【請求項７】
前記表示パネルの周縁部、または、前記照明装置の周縁部のいずれか１箇所に貼付された帯状の両面粘着テープを有し、
前記帯状の両面粘着テープに前記接着用タブが接着固定されることを特徴とする請求項１または請求項２に記載の電気光学装置。
【請求項８】
請求項１〜７のいずれか一つに記載の電気光学装置を搭載した電子機器。
【発明の詳細な説明】
【技術分野】
【０００１】
本発明は、液晶表示装置等の電気光学装置およびその電気光学装置を搭載した電子機器に関するもので、特に、表示パネルを背面から照明する照明装置と当該表示パネルとの間に挿入するプリズム板や光拡散板等の光学フィルムの取り付け構造に関する。
【背景技術】
【０００２】
従来の液晶表示装置として、液晶パネルと、前記液晶パネルの背面に設置して当該液晶パネルを照明するバックライトと、このバックライトと前記液晶パネルの間に介挿した光学補償フィルムとを有し、モールド部材のフランジに、第１の段差と、前記第１の段差より後退した位置に形成した第２の段差を設け、前記導光板を前記モールド部材の段差内で前記液晶パネル方向に押圧固定し、前記光学補償フィルムを前記第１の段差内で前記導光板に対して自由に保持した液晶表示装置が知られている（例えば特許文献１、請求項１参照）。
【０００３】
【特許文献１】特開平１１−１９４３３６号公報
【発明の開示】
【発明が解決しようとする課題】
【０００４】
しかしながら、上記特許文献１に記載された液晶表示装置にあっては、光学補償フィルムを第１の段差内で導光板に対して自由に保持しているので、光学補償フィルムが内部で動き、振動試験などの試験や携帯持ち歩き時の振動により、フィルム同士またはフィルムと導光板がこすれ合ってフィルムや導光板に傷がつき、光ムラが出る等の光学補償性能が落ちてしまうことがある。
【０００５】
本発明は、上記に鑑みてなされたものであって、光学フィルムに傷がつかず、また、皺やうねりが発生しない電気光学装置および電子機器を得ることを目的とする。
【課題を解決するための手段】
【０００６】
上述した課題を解決し、目的を達成するために、本発明の電気光学装置は、表示パネルと、該表示パネルの背面に固定され、該表示パネルを照明する照明装置と、前記表示パネルと前記照明装置との間に配置される光学フィルムと、を備え、前記光学フィルムは接着用タブを有し、前記表示パネルの周縁部に、当該接着用タブが接着されることによって固定されることを特徴とする。これにより、光学フィルムの１辺よりずっと幅のせまい接着用タブが、表示パネルの周縁部に接着されることによって固定されるので、光学フィルムや照明装置や表示パネルに摩擦による傷がつかず、光学フィルムに皺やうねりが発生せず、光学補償性能が低下することのない電気光学装置を得ることができる。
【０００７】
また、本発明の電気光学装置は、表示パネルと、該表示パネルの背面に固定され、該表示パネルを照明する照明装置と、前記表示パネルと前記照明装置との間に配置される光学フィルムと、を備え、前記光学フィルムは接着用タブを有し、前記照明装置の周縁部に、当該接着用タブが接着されることによって固定されることを特徴とする。これにより、光学フィルムの１辺よりずっと幅のせまい接着用タブが、照明装置の周縁部に接着されることによって固定されるので、光学フィルムや照明装置や表示パネルに摩擦による傷がつかず、光学フィルムに皺やうねりが発生せず、光学補償性能が低下することのない電気光学装置を得ることができる。
【０００８】
また、本発明の好ましい態様によれば、前記光学フィルムを複数枚備え、各光学フィルムを重ねたときに、該各光学フィルムの接着用タブが互いに重ならない位置に形成されていることを特徴とする。これにより、表示パネルの周縁部、または、照明装置の周縁部の１箇所に帯状の接着部材を設けるだけで、複数枚２の光学フィルムを接着固定することができる。
【０００９】
また、本発明の好ましい態様によれば、前記光学フィルムを複数枚備え、各光学フィルムを重ねたときに、該各光学フィルムの接着用タブが互いに同じ位置に形成されていることを特徴とする。これにより、各光学フィルムの接着用タブが互いに同じ位置に形成されているので、各光学フィルムに折り曲げ変形が発生しにくくなる。
【００１０】
また、本発明の好ましい態様によれば、前記複数の光学フィルムに形成される接着用タブが、同一の形状を有することを特徴とする。これにより、各光学フィルムの接着用タブが同一の形状を有するので、各光学フィルムに折り曲げ変形が発生しにくくなる。
【００１１】
また、本発明の好ましい態様によれば、前記複数の光学フィルムに形成される接着用タブ同士を接着して固定することを特徴とする。これにより、各光学フィルムの接着用タブ同士を接着して固定するので、各光学フィルムに折り曲げ変形が発生しにくくなる。
【００１２】
また、本発明の好ましい態様によれば、前記表示パネルの周縁部、または、前記照明装置の周縁部のいずれか１箇所に貼付された帯状の両面粘着テープを有し、前記帯状の両面粘着テープに前記接着用タブが接着固定されることを特徴とする。これにより、１箇所に貼付された帯状の両面粘着テープに複数の光学フィルムを接着固定できるので、生産性が良い。
【００１３】
また、本発明の好ましい態様によれば、本発明の電気光学装置を電子機器に搭載したので、信頼性の高い高品質な電子機器を簡便かつ安価に実現することができる。
【発明を実施するための最良の形態】
【００１４】
以下に、本発明に係る電気光学装置の一例としての液晶表示装置の実施例を図面に基づいて詳細に説明する。なお、本発明はこの実施例に限定されるものではなく、EL（Electro Luminescence)装置、プラズマディスプレイ、電子放出素子（Field Emission Display及びSurface-Conduction Electron-Emitter Display）等の電気光学装置にも適用できる。
【実施例１】
【００１５】
図１は、液晶表示装置の全体構成を模式的に示す展開斜視図、図２−１は、本発明の実施例１の光学フィルムの平面図、図２−２は、光学フィルムを液晶表示装置に組み込んだ状態を模式的に示す図である。
【００１６】
図において、液晶パネル１は、２枚のガラス等の基板がシール材によって貼り合わされ、シール材によって区画された領域内に液晶を封入されている。シール材の内側の領域には、画像表示領域が形成され、単純マトリクス形式のものやアクティブマトリクス形式のものがある。２枚の基板の外側には、通常、偏光板が配置されている。
【００１７】
液晶パネル１の背面には、背面を覆うようにパネル状の照明装置２が配置され、その外周部で接着固定される。照明装置２は、液晶パネル１とほぼ同じ大きさを有し、液晶パネル１に光（バックライト）を照射する導光板２ａと、この導光板２ａの周辺部に設置され周辺部から導光板２ａに光を入射するＬＥＤ等のランプ（図示せず）と、ランプ及び駆動回路（図示せず）等を収容し、周辺部で液晶パネル１の周辺部と固定される樹脂ケース２ｂとから構成されている。
【００１８】
第１の光学フィルムとしての光拡散シート３は、液晶パネル１と照明装置２との間に挿入され、導光板２ａから出射される光を拡散させて均一化するためのものであり、図２−１に示すように、上縁部左端に接着用タブ３ａが形成されている。接着用タブ３ａの幅ｗは、光拡散シート３の幅の１５％程度の狭い幅に形成されている。接着用タブ３ａ以外に該光拡散シートの周縁部に形成された凸部は、前記樹脂ケース２ｂ内側の周縁部に形成された凹部に嵌合させることによって、該光拡散シートを樹脂ケースに配置する位置を決めるためのものである。
【００１９】
第２の光学フィルムとしてのプリズムシート４及び第３の光学フィルムとしてのプリズムシート５は、導光板２ａから出射される光の方向を制御する機能を持っている。本実施例では計３枚の光学フィルムを用いているが、用いる光学フィルムの枚数は、表示パネルによって適宜調整すればよい。プリズムシート４の上縁部中央には、光拡散シート３の接着用タブ３ａと同一形状の接着用タブ４ａが形成され、プリズムシート５の上縁部右端には、同じく接着用タブ５ａが形成されている。光拡散シート３、プリズムシート４及びプリズムシート５は、接着用タブの形成位置以外は、同一形状となっている。
【００２０】
次に、実施例１の液晶表示装置の組立方法を説明する。図２−２に示すように、一点鎖線で示す液晶パネル１の表示部１ａの外側に位置する導光板２ａの周縁部２ｃに帯状の両面粘着テープ６を貼り付けておき、この両面粘着テープ６の左側端部に光拡散シート３の接着用タブ３ａを接着させて光拡散シート３を照明装置２に固定する。これにより、光拡散シート３をその１辺よりずっと幅のせまい接着用タブ３ａで接着固定するので、光拡散シート３に皺やうねりを発生させることなく該光拡散シート３を固定できる。
【００２１】
次に、導光板２ａに接着固定された光拡散シート３にプリズムシート４を重ねるようにして、両面粘着テープ６の中央部にプリズムシート４の接着用タブ４ａを接着させてプリズムシート４を導光板２ａに固定する。これにより、プリズムシート４をその１辺よりずっと幅のせまい接着用タブ４ａで接着固定する。
【００２２】
次に、導光板２ａに接着固定されたプリズムシート４にプリズムシート５を重ねるようにして、両面粘着テープ６の右側端部にプリズムシート５の接着用タブ５ａを接着させてプリズムシート５を導光板２ａに固定する。以上のように、各光学シートに設けられたタブを粘着テープ６に接着させて導光板２ａに固定できるので、液晶表示装置に振動が加えられた場合に各光学フィルム同士、および光学フィルムと導光板２ａが擦れ合って傷がつき光ムラ等が発生してしまうことを防ぐことができる。また、重ねて使用する光拡散シート３、プリズムシート４、５のタブ形成位置を少しずつずらしたことにより、１枚、１枚のシートを接着固定する領域が確保でき、また、導光板２ａとの接着面積を増やすことができるので該光学フィルムをより確実に照明装置２に固定でき、液晶パネルを収容するケース内に安定して収容することができる。
【００２３】
次に、光学フィルム３、４、５を接着固定した照明装置２を液晶パネル１背面に配置し、両者をその周縁部で接着、または、その他の手段で固定する。光学フィルム３、４、５は、液晶パネル１と照明装置２との間に挿入された形となって、実施例１の液晶表示装置が完成する。
【００２４】
ここで、上記では、光学フィルム３、４、５を、導光板２ａに接着固定する例を示したが、液晶パネル１の背面周縁部に帯状の両面粘着テープ６を貼り付けておき、この両面粘着テープ６にプリズムシート５、プリズムシート４、光拡散シート３の順でその接着用タブ５ａ、４ａ、３ａで接着固定する構成としてもよい。または、樹脂ケース２ｂに接着固定する構成としてもよい。また、本実施例では新たに両面粘着テープ６を設けて光学フィルムを固定する構成としたが、液晶パネル１と照明装置２を接着するために、液晶パネル１に設けられている粘着テープの一部を利用して、光学フィルムの接着用タブを接着固定する構成としてもよい。また、両面粘着テープに限らずその他の手段で固定しても良い。
【００２５】
また、液晶パネル１と照明装置２の間の周縁部にフレームや保持枠のような部材を介在させ固定している場合は、これらの部材に光学フィルムを接着固定しても良い。また、接着材料は、帯状の両面粘着テープ６を用いると１枚のテープで複数枚の光学フィルムを接着固定することができ好ましいが、他の接着剤を用いても良い。また、摩擦によって生じる傷が表示にもたらす影響が大きいのは、特に導光板２ａと光拡散シート３との間であるので、プリズムシート４及び５については、必ずしも接着固定する必要はない。
【実施例２】
【００２６】
図３−１は、本発明に係る電気光学装置の一例である液晶表示装置の実施例２を示し、光学フィルムの平面図、図３−２は、光学フィルムを液晶表示装置に組み込んだ状態を模式的に示す図である。液晶パネル１と照明装置２は、実施例１のものと同等であるので説明を省略する。
【００２７】
第１の光学フィルムとしての光拡散シート２３は、液晶パネル１と照明装置２との間に挿入され、導光板２ａから出射される光を拡散させて均一化するためのもので、図３−１に示すように、上縁部中央に接着用タブ２３ａが形成されている。接着用タブ２３ａの幅Ｗ２は、光拡散シート２３の幅の４０％程度の幅に形成されている。接着用タブ２３ａの幅Ｗ２は、接着材料の接着力と拡散シート２３の材料強度を勘案して形成する。接着用タブ２３ａ以外に周縁部に形成された凸部は、前記樹脂ケース２ｂの周縁部に形成された凹部に嵌合させることによって、該光拡散シート２３を樹脂ケースに配置する位置を決めるためのものである。
【００２８】
第２の光学フィルムとしてのプリズムシート２４及び第３の光学フィルムとしてのプリズムシート２５は、導光板２ａから出射される光の方向を制御する機能を持つ。本実施例では計３枚の光学フィルムを用いているが、用いる光学フィルムの枚数は、表示パネルによって適宜調整すればよい。プリズムシート２４及び２５の接着用タブ２４ａ及び２５ａは、光拡散シート２３の接着用タブ２３ａと同じ位置に形成されている。ここでは、光拡散シート２３、プリズムシート２４及びプリズムシート２５は、その接着用タブの形状及び位置を含めて全く同一平面形状に形成している。本実施例においては、接着用タブの幅Ｗ２（実施例１ではＷ）は、光学補償フィルムの幅の１０％〜５０％としている。
【００２９】
次に、実施例２の液晶表示装置の組立方法を説明する。図３−２に示すように、光拡散シート２３の接着用タブ２３ａに両面粘着テープ２６を貼り付けておき、一点鎖線で示す液晶パネル１の表示部１ａの外側に位置する導光板２ａの周縁部２ｃに、この接着用タブ２３ａを接着させて光拡散シート２３を導光板２ａに固定する。これにより、光拡散シート２３をその１辺より幅のせまい接着用タブ２３ａで接着固定するので、振動によって光拡散シート２３が導光板２ａと擦れることによる傷がつかず、また、光拡散シート２３に皺やうねりが発生することなく固定できるので、光学補償性能が低下することのない液晶表示装置を得ることができる。
【００３０】
次に、導光板２ａに接着固定された光拡散シート２３に、接着用タブ２４ａに両面粘着テープ２６を貼り付けてあるプリズムシート２４を重ねるようにして、接着用タブ２３ａ、２４ａ同士を接着させてプリズムシート２４を光拡散シート２３上に固定する。
【００３１】
次に、光拡散シート２３に接着固定されたプリズムシート２４に、接着用タブ２５ａに両面粘着テープ２６を貼り付けてあるプリズムシート２５を重ねるようにして、接着用タブ２４ａ、２５ａ同士を接着させてプリズムシート２５をプリズムシート２４上に固定する。これにより、プリズムシート２４及び２５をその１辺より幅のせまい接着用タブ２４ａ、２５ａで接着固定するので、光拡散シート２３、プリズムシート２４、２５同士の摩擦による傷がつかず、また、プリズムシート２４、２５に皺やうねりが発生することなく固定できるので、光学補償性能が低下することのない液晶表示装置を得ることができる。また、光拡散シート２３、及びプリズムシート２４、２５が同じ形状を有するので、各光学フィルムに折り曲げ変形が発生しにくくなる。
【００３２】
次に、光学フィルム２３、２４、２５を接着固定した導光板２ａを有する照明装置２を液晶パネル１の背面に配置し、両者をその周縁部で接着、または、その他の手段で固定する。光学フィルム２３、２４、２５は、液晶パネル１と照明装置２との間に挿入された形となって、実施例２の電気光学装置が完成する。
【００３３】
ここで、本実施例では、光学フィルム２３、２４、２５を、導光板２ａに接着固定する例を示したが、液晶パネル１の背面に、プリズムシート２５、プリズムシート２４、拡散シート２３の順で光学フィルムをその接着用タブで接着固定してもよい。または、樹脂ケース２ｂに接着固定する構成としてもよい。また、本実施例では新たに両面粘着テープ６を設けて光学フィルムを固定する構成としたが、液晶パネル１と照明装置２を接着するために、液晶パネル１に設けられている粘着テープの一部を利用して、光学フィルムの接着用タブを接着固定する構成としてもよい。また、両面粘着テープに限らずその他の手段で固定しても良い。
【００３４】
また、液晶パネル１と照明装置２の間の周縁部にフレームや保持枠のような部材を介在させ固定している場合は、これらの部材に光学フィルムを接着固定しても良い。また、接着材料は、両面粘着テープを用いるのが好ましいが、他の接着剤を用いても良い。また、摩擦によって生じる傷が表示にもたらす影響が大きいのは、特に導光板２ａと光拡散シート２３との間であるので、プリズムシート２４及び２５については、必ずしも接着固定する必要はない。
【実施例３】
【００３５】
図４−１、４−２、４−３は、それぞれ、本発明に係る電気光学装置を搭載する電子機器の例である。図４−１は、携帯電話の例を示す斜視図である。図中１０００は携帯電話本体を示し、本発明を適用した液晶表示装置１００１を搭載している。
【００３６】
図４−２は、腕時計型電子機器の例を示す斜視図である。１１００は時計本体を示し、本発明を適用した液晶表示装置１００１を搭載している。
【００３７】
また、図４−３は、ワープロ、パソコン等の携帯型情報処理装置の例を示す斜視図である。図中１２００は情報処理装置を示し、１２０２はキーボード等の入力部、１２０４は情報処理装置本体、１２０６は本発明を適用した液晶表示装置である。これにより、信頼性の高い高品質な携帯型情報処理装置を簡便かつ安価に実現することができる。
【００３８】
以上に説明したように、これらの電子機器に本発明に係る電気光学装置を使用すれば、信頼性の高い高品質な電子機器を簡便かつ安価に実現することができる。なお、電子機器は、電気光学装置を搭載可能であれば、これらに限らない。
【産業上の利用可能性】
【００３９】
以上のように、本発明に係る電気光学装置は、電気光学装置を搭載する電子機器に有用であり、特に、携帯電話や腕時計型電子機器等の携帯時等に振動を受ける電子機器に適している。
【図面の簡単な説明】
【００４０】
【図１】本発明に係る液晶表示装置の全体構成を模式的に示す展開斜視図。
【図２−１】本発明に係る液晶表示装置の実施例１の光学フィルムの平面図。
【図２−２】光学フィルムを液晶表示装置に組み込んだ状態を示す図。
【図３−１】本発明に係る液晶表示装置の実施例２の光学フィルムの平面図。
【図３−２】光学フィルムを液晶表示装置に組み込んだ状態を示す図。
【図４−１】本発明に係る電気光学装置を搭載する携帯電話の斜視図。
【図４−２】本発明に係る電気光学装置を搭載する腕時計型電子機器の斜視図。
【図４−３】本発明に係る電気光学装置を搭載する携帯型情報処理装置の斜視図。
【符号の説明】
【００４１】
１  液晶パネル、１ａ  表示部、２  照明装置、２ａ  導光板、２ｂ  樹脂ケース、２ｃ  周縁部、３，２３  光拡散シート（第１の光学フィルム）、３ａ，２３ａ  接着用タブ、４，２４  プリズムシート（第２の光学フィルム）、４ａ，２４ａ  接着用タブ、５，２５  プリズムシート（第３の光学フィルム）、５ａ，２５ａ  接着用タブ、６，２６  両面粘着テープ、Ｗ，Ｗ２  接着用タブの幅
【図１】
2005099461.tif 000003
【図２−１】
2005099461.tif 000004
【図２−２】
2005099461.tif 000005
【図３−１】
2005099461.tif 000006
【図３−２】
2005099461.tif 000007
【図４−１】
2005099461.tif 000008
【図４−２】
2005099461.tif 000009
【図４−３】
2005099461.tif 000010